【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
コンディショナルアクセスサーバと複数のデジタル放送受信機とが伝送路で結ばれて構成されたコンディショナルアクセスシステムであって、
前記コンディショナルアクセスサーバは、
複数のコンディショナルアクセスカードとのデータの授受を行うコンディショナルアクセスカードインターフェース部と、
複数のデジタル放送受信機とのデータの授受を行うデジタル放送受信機インターフェース部と、
前記コンディショナルアクセスカードインターフェース部を通して接続された複数のコンディショナルアクセスカードと前記デジタル放送受信機インターフェース部を通して接続された複数のデジタル放送受信機との間でコンディショナルアクセスに係るデータの授受を調停して当該複数のコンディショナルアクセスカードによる複数の視聴権限を当該複数のデジタル放送受信機の間で排他的に共有することを許容する制御を実行するサーバ側システムコントローラと、を備えて構成され、
前記複数のデジタル放送受信機は、
放送信号を選択的に受信するチューナ部と、
前記コンディショナルアクセスサーバとのデータの授受を行うコンディショナルアクセスサーバインターフェース部と、
前記コンディショナルアクセスサーバからコンディショナルアクセスカードにより生成されたスクランブル解除の暗号鍵のデータを前記コンディショナルアクセスサーバインターフェース部を通して受信することによって前記チューナ部で受信した放送信号に対してスクランブル解除処理を実行するスクランブル解除部と、
前記チューナ部、コンディショナルアクセスサーバインターフェース部、および、スクランブル解除部を統括的に制御する受信機側システムコントローラと、を備えて構成されていることを特徴とするコンディショナルアクセスシステム。
【請求項２】
前記サーバ側システムコントローラは、前記複数のデジタル放送受信機間で同一のコンディショナルアクセスカードに視聴契約が締結されている同一の番組について同時に当該番組の視聴を行う操作が行われたときには、当該操作が先行したデジタル放送受信機に対して視聴を許容し、当該操作が後続して行われたデジタル放送受信機に対して、他のデジタル放送受信機が優先して排他的に当該番組を視聴している旨のメッセージを送信することを特徴とする請求項１に記載のコンディショナルアクセスシステム。
【請求項３】
前記サーバ側システムコントローラは、前記デジタル放送受信機において、何れのコンディショナルアクセスカードにも視聴契約が締結されていない番組の視聴を行う操作が行われたときには、当該デジタル放送受信機に対して、視聴契約は未締結である旨のメッセージを送信することを特徴とする請求項１に記載のコンディショナルアクセスシステム。
【請求項４】
コンディショナルアクセスサーバと複数のデジタル放送受信機とが伝送路で結ばれて構成されるコンディショナルアクセスシステムを構成するに適合するコンディショナルアクセスサーバであって、
複数のコンディショナルアクセスカードとのデータの授受を行うコンディショナルアクセスカードインターフェース部と、複数のデジタル放送受信機とのデータの授受を行うデジタル放送受信機インターフェース部と、前記コンディショナルアクセスカードインターフェース部を通して接続された複数のコンディショナルアクセスカードと前記デジタル放送受信機インターフェース部を通して接続された複数のデジタル放送受信機との間でコンディショナルアクセスに係るデータの授受を調停して当該複数のコンディショナルアクセスカードによる複数の視聴権限を当該複数のデジタル放送受信機の間で排他的に共有することを許容する制御を実行するサーバ側システムコントローラと、を備えて構成されていることを特徴とするコンディショナルアクセスサーバ。
【請求項５】
前記サーバ側システムコントローラは、前記複数のデジタル放送受信機間で、同一のコンディショナルアクセスカードに視聴契約が締結されている同一の番組について同時に当該番組の視聴を行う操作が行われたときには、当該操作が先行したデジタル放送受信機に対して視聴を許容し、当該操作が後続して行われたデジタル放送受信機に対して、他のデジタル放送受信機が優先して排他的に当該番組を視聴している旨のメッセージを送信することを特徴とする請求項４に記載のコンディショナルアクセスサーバ。
【請求項６】
前記サーバ側システムコントローラは、前記デジタル放送受信機において、何れのコンディショナルアクセスカードにも視聴契約が締結されていない番組の視聴を行う操作が行われたときには、視聴契約は未締結である旨のメッセージを送信することを特徴とする請求項４に記載のコンディショナルアクセスサーバ。
【請求項７】
コンディショナルアクセスサーバと複数のデジタル放送受信機とが伝送路で結ばれて構成されたコンディショナルアクセスシステムに適合するデジタル放送受信機であって、
放送信号を選択的に受信するチューナ部と、前記コンディショナルアクセスサーバとのデータの授受を行うコンディショナルアクセスサーバインターフェース部と、前記コンディショナルアクセスサーバからコンディショナルアクセスカードにより生成されたスクランブル解除の暗号鍵のデータを前記コンディショナルアクセスサーバインターフェース部を通して受信することによって前記チューナ部で受信した放送信号に対してスクランブル解除処理を実行するスクランブル解除部と、前記チューナ部、コンディショナルアクセスサーバインターフェース部、および、スクランブル解除部を統括的に制御する受信機側システムコントローラと、を備えて構成されていることを特徴とするデジタル放送受信機。
【請求項８】
前記受信機側システムコントローラは、他のデジタル放送受信機が同一のコンディショナルアクセスカードに視聴契約が締結されている同一の番組について先行して当該番組の視聴を行う操作を行っていることに対応して、前記コンディショナルアクセスサーバ側から、前記コンディショナルアクセスサーバインターフェース部を通して、他のデジタル放送受信機が優先して排他的に当該番組を視聴している旨のメッセージを受信したときには、当該メッセージを表す表示を行うことを特徴とする請求項７に記載のデジタル放送受信機。
【請求項９】
前記受信機側システムコントローラは、何れのコンディショナルアクセスカードにも視聴契約が締結されていない番組の視聴を行う操作が行われたことに対応して、前記コンディショナルアクセスサーバ側から、前記コンディショナルアクセスサーバインターフェース部を通して、当該視聴契約は未締結である旨のメッセージを受信したときには、当該メッセージを表す表示を行うことを特徴とする請求項７に記載のデジタル放送受信機。
【手続補正２】
【補正対象書類名】明細書
【補正対象項目名】００１２
【補正方法】変更
【補正の内容】
【００１２】
上記課題を解決するべく、本願では次に列記するような技術を提案する。
（１）コンディショナルアクセスサーバと複数のデジタル放送受信機とが伝送路で結ばれて構成されたコンディショナルアクセスシステムであって、
前記コンディショナルアクセスサーバは、
複数のコンディショナルアクセスカードとのデータの授受を行うコンディショナルアクセスカードインターフェース部と、
複数のデジタル放送受信機とのデータの授受を行うデジタル放送受信機インターフェース部と、
前記コンディショナルアクセスカードインターフェース部を通して接続された複数のコンディショナルアクセスカードと前記デジタル放送受信機インターフェース部を通して接続された複数のデジタル放送受信機との間でコンディショナルアクセスに係るデータの授受を調停して当該複数のコンディショナルアクセスカードによる複数の視聴権限を当該複数のデジタル放送受信機の間で排他的に共有することを許容する制御を実行するサーバ側システムコントローラと、を備えて構成され、
前記複数のデジタル放送受信機は、
放送信号を選択的に受信するチューナ部と、
前記コンディショナルアクセスサーバとのデータの授受を行うコンディショナルアクセスサーバインターフェース部と、
前記コンディショナルアクセスサーバからコンディショナルアクセスカードにより生成されたスクランブル解除の暗号鍵のデータを前記コンディショナルアクセスサーバインターフェース部を通して受信することによって前記チューナ部で受信した放送信号に対してスクランブル解除処理を実行するスクランブル解除部と、
前記チューナ部、コンディショナルアクセスサーバインターフェース部、および、スクランブル解除部を統括的に制御する受信機側システムコントローラと、を備えて構成されていることを特徴とするコンディショナルアクセスシステム。
【手続補正３】
【補正対象書類名】明細書
【補正対象項目名】００１３
【補正方法】変更
【補正の内容】
【００１３】
上記（１）のコンディショナルアクセスシステムでは、コンディショナルアクセスサーバと複数のデジタル放送受信機とが伝送路で結ばれ、コンディショナルアクセスサーバのコンディショナルアクセスカードインターフェース部に接続されている複数のコンディショナルアクセスカードに締結されている番組の視聴契約に基づいて、コンディショナルアクセスサーバのサーバ側システムコントローラが、複数のデジタル放送受信機間で、同一のコンディショナルアクセスカードおよび同一の視聴期間中については排他的になるようにして視聴契約を遵守しつつ、各個のデジタル放送受信機に共通に、当該視聴契約に基づく視聴権限による便益を享受することができるように調停する。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
（２）  前記サーバ側システムコントローラは、前記複数のデジタル放送受信機間で同一のコンディショナルアクセスカードに視聴契約が締結されている同一の番組について同時に当該番組の視聴を行う操作が行われたときには、当該操作が先行したデジタル放送受信機に対して視聴を許容し、当該操作が後続して行われたデジタル放送受信機に対して、他のデジタル放送受信機が優先して排他的に当該番組を視聴している旨のメッセージを送信することを特徴とする（１）のコンディショナルアクセスシステム。
【手続補正６】
【補正対象書類名】明細書
【補正対象項目名】００１６
【補正方法】変更
【補正の内容】
【００１６】
上記（２）のコンディショナルアクセスシステムでは、（１）のコンディショナルアクセスシステムによる作用において特に、前記サーバ側システムコントローラは、前記複数のデジタル放送受信機間で同一のコンディショナルアクセスカードに視聴契約が締結されている同一の番組について同時に当該番組の視聴を行う操作が行われたときには、当該操作が先行したデジタル放送受信機に対して視聴を許容し、当該操作が後続して行われたデジタル放送受信機に対して、他のデジタル放送受信機が優先して排他的に当該番組を視聴している旨のメッセージを送信するように制御を実行する。
これにより、同一のコンディショナルアクセスカードおよび同一の視聴期間中については排他的に当該番組の視聴が許容され、従って、視聴契約が遵守された上で、各個のデジタル放送受信機に共通に、当該視聴契約に基づく当該番組の視聴が可能になるという便益が得られる。
【手続補正７】
【補正対象書類名】明細書
【補正対象項目名】００１７
【補正方法】変更
【補正の内容】
【００１７】
（３）前記サーバ側システムコントローラは、前記デジタル放送受信機において、何れのコンディショナルアクセスカードにも視聴契約が締結されていない番組の視聴を行う操作が行われたときには、当該デジタル放送受信機に対して、視聴契約は未締結である旨のメッセージを送信することを特徴とする（１）のコンディショナルアクセスシステム。
【手続補正８】
【補正対象書類名】明細書
【補正対象項目名】００１８
【補正方法】変更
【補正の内容】
【００１８】
上記（３）のコンディショナルアクセスシステムでは、（１）のコンディショナルアクセスシステムによる作用において特に、サーバ側システムコントローラは、前記デジタル放送受信機において、何れのコンディショナルアクセスカードにも視聴契約が締結されていない番組の視聴を行う操作が行われたときには、当該デジタル放送受信機に対して、視聴契約は未締結である旨のメッセージを送信するべく制御を実行する。
これにより、当該デジタル放送受信機のユーザは、視聴契約が未締結であるが故に番組の視聴ができない（スクランブル解除処理が実行され得ない）ことを的確に認識することができる。
【手続補正９】
【補正対象書類名】明細書
【補正対象項目名】００１９
【補正方法】変更
【補正の内容】
【００１９】
（４）コンディショナルアクセスサーバと複数のデジタル放送受信機とが伝送路で結ばれて構成されるコンディショナルアクセスシステムを構成するに適合するコンディショナルアクセスサーバであって、
複数のコンディショナルアクセスカードとのデータの授受を行うコンディショナルアクセスカードインターフェース部と、複数のデジタル放送受信機とのデータの授受を行うデジタル放送受信機インターフェース部と、前記コンディショナルアクセスカードインターフェース部を通して接続された複数のコンディショナルアクセスカードと前記デジタル放送受信機インターフェース部を通して接続された複数のデジタル放送受信機との間でコンディショナルアクセスに係るデータの授受を調停して当該複数のコンディショナルアクセスカードによる複数の視聴権限を当該複数のデジタル放送受信機の間で排他的に共有することを許容する制御を実行するサーバ側システムコントローラと、を備えて構成されていることを特徴とするコンディショナルアクセスサーバ。
【手続補正１０】
【補正対象書類名】明細書
【補正対象項目名】００２０
【補正方法】変更
【補正の内容】
【００２０】
上記（４）のコンディショナルアクセスサーバでは、放送受信機インターフェース部を通して接続された複数のデジタル放送受信機に対して、コンディショナルアクセスカードインターフェース部を通して接続された複数のコンディショナルアクセスカードに締結されている視聴契約に基づいて、コンディショナルアクセスに係るデータの授受を調停して当該複数のコンディショナルアクセスカードによる複数の視聴権限を当該複数のデジタル放送受信機の間で排他的に共有することを許容するべく、サーバ側システムコントローラが制御を実行する。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
（５）前記サーバ側システムコントローラは、前記複数のデジタル放送受信機間で、同一のコンディショナルアクセスカードに視聴契約が締結されている同一の番組について同時に当該番組の視聴を行う操作が行われたときには、当該操作が先行したデジタル放送受信機に対して視聴を許容し、当該操作が後続して行われたデジタル放送受信機に対して、他のデジタル放送受信機が優先して排他的に当該番組を視聴している旨のメッセージを送信することを特徴とする（４）のコンディショナルアクセスサーバ。
【手続補正１３】
【補正対象書類名】明細書
【補正対象項目名】００２４
【補正方法】変更
【補正の内容】
【００２４】
上記（５）のコンディショナルアクセスサーバでは、（４）のコンディショナルアクセスサーバによる作用において特に、サーバ側システムコントローラは、前記複数のデジタル放送受信機間で、同一のコンディショナルアクセスカードに視聴契約が締結されている同一の番組について同時に当該番組の視聴を行う操作が行われたときには、当該操作が先行したデジタル放送受信機に対して視聴を許容し、当該操作が後続して行われたデジタル放送受信機に対して、他のデジタル放送受信機が優先して排他的に当該番組を視聴している旨のメッセージを送信するべく制御を実行する。
このため、同一のコンディショナルアクセスカードおよび同一の視聴期間中については排他的に当該番組の視聴が許容され、従って、視聴契約が遵守された上で、各個のデジタル放送受信機に共通に、当該視聴契約に基づく当該番組の視聴が可能になるという便益が得られる。
【手続補正１４】
【補正対象書類名】明細書
【補正対象項目名】００２５
【補正方法】変更
【補正の内容】
【００２５】
（６）前記サーバ側システムコントローラは、前記デジタル放送受信機において、何れのコンディショナルアクセスカードにも視聴契約が行われていない番組の視聴を行う操作が行われたときには、視聴契約は未締結である旨のメッセージを送信することを特徴とする（４）のコンディショナルアクセスサーバ。
【手続補正１５】
【補正対象書類名】明細書
【補正対象項目名】００２６
【補正方法】変更
【補正の内容】
【００２６】
上記（６）のコンディショナルアクセスサーバでは、（４）のコンディショナルアクセスサーバによる作用において特に、サーバ側システムコントローラは、前記デジタル放送受信機において、何れのコンディショナルアクセスカードにも視聴契約が行われていない番組の視聴を行う操作が行われたときには、視聴契約は未締結である旨のメッセージを送信するべく制御を実行する。
このため、当該デジタル放送受信機のユーザは、視聴契約が未締結であるが故に番組の視聴ができない（スクランブル解除処理が実行され得ない）ことを的確に認識することができる。
【手続補正１６】
【補正対象書類名】明細書
【補正対象項目名】００２７
【補正方法】変更
【補正の内容】
【００２７】
（７）コンディショナルアクセスサーバと複数のデジタル放送受信機とが伝送路で結ばれて構成されたコンディショナルアクセスシステムに適合するデジタル放送受信機であって、
放送信号を選択的に受信するチューナ部と、前記コンディショナルアクセスサーバとのデータの授受を行うコンディショナルアクセスサーバインターフェース部と、前記コンディショナルアクセスサーバからコンディショナルアクセスカードにより生成されたスクランブル解除の暗号鍵のデータを前記コンディショナルアクセスサーバインターフェース部を通して受信することによって前記チューナ部で受信した放送信号に対してスクランブル解除処理を実行するスクランブル解除部と、前記チューナ部、コンディショナルアクセスサーバインターフェース部、および、スクランブル解除部を統括的に制御する受信機側システムコントローラと、を備えて構成されていることを特徴とするデジタル放送受信機。
【手続補正１７】
【補正対象書類名】明細書
【補正対象項目名】００２８
【補正方法】変更
【補正の内容】
【００２８】
上記（７）のデジタル放送受信機では、チューナ部で選択的に受信した放送信号を、コンディショナルアクセスサーバインターフェース部を通してコンディショナルアクセスサーバ側から供給された暗号鍵のデータを用いて、スクランブル解除部でスクランブル解除処理に附する。コンディショナルアクセスカードにより生成されている暗号鍵はコンディショナルアクセスサーバ側から供給されるものを受けて適用するため、コンディショナルアクセスカードの挿抜操作や移動といった煩雑な取り扱いを要することなく、当該一のコンディショナルアクセスカードに係る視聴契約による視聴権限に基づく便益を、同一の視聴期間中には排他的になるようにして視聴契約を遵守しつつ、一のコンディショナルアクセスシステムに属する複数のデジタル放送受信機間で、各個に共通に享受することができる。
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】変更
【補正の内容】
【００３０】
（８）前記受信機側システムコントローラは、他のデジタル放送受信機が同一のコンディショナルアクセスカードに視聴契約が締結されている同一の番組について先行して当該番組の視聴を行う操作を行っていることに対応して、前記コンディショナルアクセスサーバ側から、前記コンディショナルアクセスサーバインターフェース部を通して、他のデジタル放送受信機が優先して排他的に当該番組を視聴している旨のメッセージを受信したときには、当該メッセージを表す表示を行うことを特徴とする（７）のデジタル放送受信機。
【手続補正２０】
【補正対象書類名】明細書
【補正対象項目名】００３１
【補正方法】変更
【補正の内容】
【００３１】
上記（８）のデジタル放送受信機では、（７）のデジタル放送受信機による作用において特に、受信機側システムコントローラは、他のデジタル放送受信機が同一のコンディショナルアクセスカードに視聴契約が締結されている同一の番組について先行して当該番組の視聴を行う操作を行っていることに対応して、前記コンディショナルアクセスサーバ側から、前記コンディショナルアクセスサーバインターフェース部を通して、他のデジタル放送受信機が優先して排他的に当該番組を視聴している旨のメッセージを受信したときには、当該メッセージを表す表示を行うべく制御を実行する。
【手続補正２１】
【補正対象書類名】明細書
【補正対象項目名】００３２
【補正方法】変更
【補正の内容】
【００３２】
このため、当該デジタル放送受信機のユーザは、同一のコンディショナルアクセスカードに視聴契約が締結されている同一の番組について先行して当該番組の視聴を行うための操作を行っているユーザの存在に起因して、当該番組の視聴ができない（スクランブル解除処理が実行され得ない）ことを的確に認識することができる。
【手続補正２２】
【補正対象書類名】明細書
【補正対象項目名】００３３
【補正方法】変更
【補正の内容】
【００３３】
（９）前記受信機側システムコントローラは、何れのコンディショナルアクセスカードにも視聴契約が締結されていない番組の視聴を行う操作が行われたことに対応して、前記コンディショナルアクセスサーバ側から、前記コンディショナルアクセスサーバインターフェース部を通して、当該視聴契約は未締結である旨のメッセージを受信したときには、当該メッセージを表す表示を行うことを特徴とする（７）のデジタル放送受信機。
【手続補正２３】
【補正対象書類名】明細書
【補正対象項目名】００３４
【補正方法】変更
【補正の内容】
【００３４】
上記（９）のデジタル放送受信機では、（７）のデジタル放送受信機による作用において特に、受信機側システムコントローラは、何れのコンディショナルアクセスカードにも視聴契約が締結されていない番組の視聴を行うための操作が行われたことに対応して、前記コンディショナルアクセスサーバ側から、前記コンディショナルアクセスサーバインターフェース部を通して、当該視聴に関する視聴契約は未締結である旨のメッセージを受信したときには、当該メッセージを表す表示を行うべく制御を実行する。
このため、当該デジタル放送受信機のユーザは、視聴契約が未締結であるが故に番組の視聴ができない（スクランブル解除処理が実行され得ない）ことを的確に認識することができる。
【手続補正２４】
【補正対象書類名】明細書
【補正対象項目名】０１５０
【補正方法】変更
【補正の内容】
【０１５０】
この場合は、同一のコンディショナルアクセスカード２に対するアクセスであるが、ＥＣＭが同一ではないのでデジタル放送受信機２はコンディショナルアクセスカード２を使用してデジタル放送受信機１と異なる番組の視聴を開始する。
ステップＳ１５２８でのＥＣＭメッセージの送信に応答してコンディショナルアクセスカード２から転送されてくるスクランブル解除鍵を受信し（ステップＳ１５２９）、次いで、受信したスクランブル解除鍵をデジタル放送受信機２へ送信する（ステップＳ１５３０）。この後、ステップＳ１２０１（図１２）に戻る。